(57)【要約】【課題】コンテンツの著作権保護とユーザの利便性とを両立させることができる複数層式の光ディスク、光ディスク装置、コンテンツ再生システム及びコンテンツ再生方法を提供する。【解決手段】光ディスク２のＲＯＭ層２２にはコンテンツデータが記録されており、ＲＥ層２１にはコンテンツデータ管理用のファイルシステムを示す必須データが記録されている。ＣＰＵ１０は必須データを用いてコンテンツデータを読み出す。その後、読み出されたコンテンツデータに基づいてコンテンツが再生される。次に、ＣＰＵ１０は、ＲＥ層２１に記録されているコンテンツデータの利用回数をインクリメントし、インクリメント後の利用回数が所定の上限回数以上である場合に、ＲＥ層２１に記録されている必須データを削除する。この結果、コンテンツデータの読み出しが不可能になるが、予めバックアップしておいた必須データをＲＥ層２１に書き戻せば、再び読み出しが可能になる。【選択図】図２
2011170907.tif 000002
【特許請求の範囲】
【請求項１】
データが記録される第１記録層と、
コンテンツを示すコンテンツデータが予め記録されている読み出し専用の第２記録層と
を積層してなる光ディスクにおいて、
前記第１記録層には、前記第２記録層に記録されているコンテンツデータの利用に必須の必須データが記録されていることを特徴とする光ディスク。
【請求項２】
前記必須データは、前記コンテンツデータを管理するためのファイルシステムを示すものであることを特徴とする請求項１に記載の光ディスク。
【請求項３】
前記コンテンツデータは暗号化されており、
前記必須データは、前記コンテンツデータを復号するための復号鍵を示すものであることを特徴とする請求項１又は２に記載の光ディスク。
【請求項４】
前記必須データは、前記コンテンツデータの利用の許可又は禁止を意味する許否情報を示すものであることを特徴とする請求項１から３の何れかひとつに記載の光ディスク。
【請求項５】
データが記録される第１記録層と、コンテンツを示すコンテンツデータが予め記録されている読み出し専用の第２記録層とを積層してなる光ディスクが装着され、
装着された光ディスクの第２記録層に記録されているコンテンツデータに基づいてコンテンツを再生する再生手段を備える光ディスク装置において、
前記第１記録層に記録されているデータを読み出す読出手段と、
該読出手段が読み出したデータが、前記コンテンツデータの利用に必須の必須データであるか否かを判定する必須判定手段と、
前記コンテンツデータの利用の禁止を意味する所定の条件が成立しているか否かを判定する条件判定手段と、
該条件判定手段が成立していると判定し、且つ、前記必須判定手段が必須データであると判定した場合に、前記第１記録層に記録されている必須データを無効化する無効化手段と
を備え、
前記再生手段は、前記必須判定手段が必須データであると判定した場合に、前記コンテンツを再生するようにしてあることを特徴とする光ディスク装置。
【請求項６】
前記無効化手段は、前記第１記録層に記録されている必須データを削除するか、該必須データを所定の変更手順で前記必須データとは異なるデータに変更するか、又は、前記第１記録層を破壊することによって、前記必須データを無効化するようにしてあることを特徴とする請求項５に記載の光ディスク装置。
【請求項７】
データが記録される第１記録層、及び、コンテンツを示すコンテンツデータが予め記録されている読み出し専用の第２記録層を積層してなる光ディスクと、
該光ディスクが装着され、装着された光ディスクの第２記録層に記録されているコンテンツデータに基づいてコンテンツを再生する再生手段を有する光ディスク装置と
を備えるコンテンツ再生システムにおいて、
前記光ディスク装置は、
前記光ディスクの第１記録層に記録されているデータを読み出す読出手段と、
該読出手段が読み出したデータが、前記コンテンツデータの利用に必須の必須データであるか否かを判定する必須判定手段と、
前記コンテンツデータの利用の禁止を意味する所定の条件が成立しているか否かを判定する条件判定手段と、
該条件判定手段が成立していると判定し、且つ、前記必須判定手段が必須データであると判定した場合に、前記第１記録層に記録されている必須データを無効化する無効化手段と
を有し、
前記再生手段は、前記必須判定手段が必須データであると判定した場合に、前記コンテンツを再生するようにしてあることを特徴とするコンテンツ再生システム。
【請求項８】
前記光ディスクが装着され、装着された光ディスクの第１記録層に必須データを記録するデータ記録装置を更に備えることを特徴とする請求項７に記載のコンテンツ再生システム。
【請求項９】
データが記録される第１記録層、及び、コンテンツを示すコンテンツデータが予め記録されている読み出し専用の第２記録層を積層してなる光ディスクと、該光ディスクが装着される光ディスク装置とを備えるコンテンツ再生システムで、
前記光ディスク装置に装着された光ディスクの第２記録層に記録されているコンテンツデータに基づいてコンテンツを再生するコンテンツ再生方法において、
前記光ディスクの第１記録層に記録されているデータを読み出し、
読み出したデータが、前記コンテンツデータの利用に必須の必須データである場合に、前記コンテンツを再生し、
前記第１記録層に必須データが記録されており、且つ、前記コンテンツデータの利用が禁止されている場合に、前記第１記録層に記録されている必須データを無効化することを特徴とするコンテンツ再生方法。
【発明の詳細な説明】
【技術分野】
【０００１】
本発明は、複数層式の光ディスク、コンテンツデータに基づいてコンテンツを再生する光ディスク装置、コンテンツ再生システム及びコンテンツ再生方法に関する。
【背景技術】
【０００２】
光ディスク装置は、自身に装着されているＤＶＤ(Digital Versatile Disc)、及び／又はＢＤ（Blu-ray Disc。登録商標）等の光ディスクに対してデータを読み書きする。
近年、データの書き換えが可能な記録層（以下、ＲＥ層という）と、読み出し専用の記録層（以下、ＲＯＭ層という）とを積層してなる複数層式の光ディスク（いわゆるハイブリッドディスク）が提案されている。ＲＯＭ層には、例えば映画又はゲーム等のコンテンツを示すコンテンツデータが予め記録されており、コンテンツの再生時に生じる各種データは、ＲＥ層に対して読み書きされる。
【０００３】
このような複数層式の光ディスクを用いる場合には、光ディスク装置に内蔵されている記憶装置に、コンテンツデータ及び各種データを記憶させる必要がない。このため、複数層式の光ディスクは、特に、記憶装置の記憶容量が少ないモバイル型の光ディスク装置での使用に適している。
ところで、画像又は音楽等の著作権を保護するためには、光ディスクに記録されているデータが無制限に利用されることを防止する必要がある。
【０００４】
従来、データを利用した利用回数が所定の上限回数に達した場合に、光ディスクに記録されているデータを削除するか、又は、データが記録されている記録面を破壊する光ディスク装置が提案されている（特許文献１〜４参照）。このような光ディスク装置では、利用すべきデータが失われてしまうため、データの利用回数を上限回数までに制限することができる。
【０００５】
また、映像データを受け付けた場合に、受け付けた映像データを、自身が生成した暗号化鍵で暗号化してからビデオテープに記録し、暗号化鍵の生成から所定時間が経過した後に、暗号化鍵を削除する録画再生装置が提案されている（特許文献５参照）。このような録画再生装置では、暗号化鍵がなければ映像データを復号することができないため、映像データの有効期間を、暗号鍵の生成時点から所定時間が経過するまでの間に制限することができる。
【先行技術文献】
【特許文献】
【０００６】
【特許文献１】特開平８−１４７８５６号公報
【特許文献２】特開平９−２３１６１２号公報
【特許文献３】特開平１１−１４４３７９号公報
【特許文献４】特開２００１−６７７３１号公報
【特許文献５】特開平１１−２３２７７６号公報
【発明の概要】
【発明が解決しようとする課題】
【０００７】
しかしながら、特許文献１〜５には、複数層式の光ディスクのＲＯＭ層に記録されているコンテンツデータの利用回数又は有効期間等を制限するための技術事項は記載されていない。
また、特許文献１〜４に記載の光ディスク装置は、コンテンツデータそのものを失うことなくコンテンツデータの利用回数又は有効期間等を制限したい場合には不向きである。
更に、特許文献５に記載の録画再生装置は、暗号化鍵を自身の内部に格納する。このため、映像データの有効期間内であっても、他の録画再生装置で映像データを復号することができず、不便である。
【０００８】
本発明は斯かる事情に鑑みてなされたものであり、その主たる目的は、コンテンツデータの利用に必須の必須データが記録されている第１記録層と、コンテンツデータが予め記録されている第２記録層とが積層してあることにより、コンテンツの著作権保護とユーザの利便性とを両立させることができる複数層式の光ディスク、光ディスク装置、コンテンツ再生システム及びコンテンツ再生方法を提供することにある。
【課題を解決するための手段】
【０００９】
本発明に係る光ディスクは、データが記録される第１記録層と、コンテンツを示すコンテンツデータが予め記録されている読み出し専用の第２記録層とを積層してなる光ディスクにおいて、前記第１記録層には、前記第２記録層に記録されているコンテンツデータの利用に必須の必須データが記録されていることを特徴とする。
【００１０】
本発明に係る光ディスクは、前記必須データは、前記コンテンツデータを管理するためのファイルシステムを示すものであることを特徴とする。
【００１１】
本発明に係る光ディスクは、前記コンテンツデータは暗号化されており、前記必須データは、前記コンテンツデータを復号するための復号鍵を示すものであることを特徴とする。
【００１２】
本発明に係る光ディスクは、前記必須データは、前記コンテンツデータの利用の許可又は禁止を意味する許否情報を示すものであることを特徴とする。
【００１３】
本発明に係る光ディスク装置は、データが記録される第１記録層と、コンテンツを示すコンテンツデータが予め記録されている読み出し専用の第２記録層とを積層してなる光ディスクが装着され、装着された光ディスクの第２記録層に記録されているコンテンツデータに基づいてコンテンツを再生する再生手段を備える光ディスク装置において、前記第１記録層に記録されているデータを読み出す読出手段と、該読出手段が読み出したデータが、前記コンテンツデータの利用に必須の必須データであるか否かを判定する必須判定手段と、前記コンテンツデータの利用の禁止を意味する所定の条件が成立しているか否かを判定する条件判定手段と、該条件判定手段が成立していると判定し、且つ、前記必須判定手段が必須データであると判定した場合に、前記第１記録層に記録されている必須データを無効化する無効化手段とを備え、前記再生手段は、前記必須判定手段が必須データであると判定した場合に、前記コンテンツを再生するようにしてあることを特徴とする。
【００１４】
本発明に係る光ディスク装置は、前記無効化手段は、前記第１記録層に記録されている必須データを削除するか、該必須データを所定の変更手順で前記必須データとは異なるデータに変更するか、又は、前記第１記録層を破壊することによって、前記必須データを無効化するようにしてあることを特徴とする。
【００１５】
本発明に係るコンテンツ再生システムは、データが記録される第１記録層、及び、コンテンツを示すコンテンツデータが予め記録されている読み出し専用の第２記録層を積層してなる光ディスクと、該光ディスクが装着され、装着された光ディスクの第２記録層に記録されているコンテンツデータに基づいてコンテンツを再生する再生手段を有する光ディスク装置とを備えるコンテンツ再生システムにおいて、前記光ディスク装置は、前記光ディスクの第１記録層に記録されているデータを読み出す読出手段と、該読出手段が読み出したデータが、前記コンテンツデータの利用に必須の必須データであるか否かを判定する必須判定手段と、前記コンテンツデータの利用の禁止を意味する所定の条件が成立しているか否かを判定する条件判定手段と、該条件判定手段が成立していると判定し、且つ、前記必須判定手段が必須データであると判定した場合に、前記第１記録層に記録されている必須データを無効化する無効化手段とを有し、前記再生手段は、前記必須判定手段が必須データであると判定した場合に、前記コンテンツを再生するようにしてあることを特徴とする。
【００１６】
本発明に係るコンテンツ再生システムは、前記光ディスクが装着され、装着された光ディスクの第１記録層に必須データを記録するデータ記録装置を更に備えることを特徴とする。
【００１７】
本発明に係るコンテンツ再生方法は、データが記録される第１記録層、及び、コンテンツを示すコンテンツデータが予め記録されている読み出し専用の第２記録層を積層してなる光ディスクと、該光ディスクが装着される光ディスク装置とを備えるコンテンツ再生システムで、前記光ディスク装置に装着された光ディスクの第２記録層に記録されているコンテンツデータに基づいてコンテンツを再生するコンテンツ再生方法において、前記光ディスクの第１記録層に記録されているデータを読み出し、読み出したデータが、前記コンテンツデータの利用に必須の必須データである場合に、前記コンテンツを再生し、前記第１記録層に必須データが記録されており、且つ、前記コンテンツデータの利用が禁止されている場合に、前記第１記録層に記録されている必須データを無効化することを特徴とする。
【００１８】
本発明にあっては、複数層式の光ディスクは、第１記録層と第２記録層とを積層してなる。第２記録層には、コンテンツデータが予め記録されている。第１記録層には、第２記録層に記録されているコンテンツデータの利用に必須の必須データが、適宜のタイミングで（例えば光ディスクの製造時に）記録される。
本発明に係る光ディスク装置は、再生手段による再生処理、読出手段による読出処理、必須判定手段による必須判定処理、条件判定手段による条件判定処理、及び、無効化手段による無効化処理を実行する。このような光ディスク装置と複数層式の光ディスクとを備えるコンテンツ再生システム、即ち本発明に係るコンテンツ再生システムは、本発明に係るコンテンツ再生方法を実現する。
【００１９】
光ディスクの第１記録層に必須データが記録されている場合、光ディスク装置の読出手段は、第１記録層に記録されているデータを読み出す。
次に、必須判定手段は、読出手段が読み出したデータが必須データであるか否かを判定する。ここで、必須データである、と判定される場合とは、読出手段が必須データを読み出せた場合であり、否、と判定される場合とは、読出手段が必須データを読み出せない場合である。
【００２０】
読出手段が必須データを読み出せた場合、再生手段は、第２記録層に記録されているコンテンツデータに基づいてコンテンツを再生する。
読出手段が必須データを読み出せない場合、再生手段は、第２記録層に記録されているコンテンツデータに基づいてコンテンツを再生することができない。
【００２１】
条件判定手段は、所定の条件が成立しているか否かを判定する。ここで、所定の条件が成立していると判定される場合とは、コンテンツデータの利用が禁止されている場合であり、否と判定される場合とは、コンテンツデータの利用が許可されている場合である。所定の条件の具体例としては、例えば、コンテンツデータの利用回数が所定の上限回数以上であること、又は、コンテンツデータの利用日時が所定の有効期間外であること等が挙げられる。
【００２２】
コンテンツデータの利用が禁止されている場合、無効化手段は、第１記録層に記録されている必須データを無効化する。換言すれば、コンテンツデータの利用が許可されている場合には、無効化手段による無効化処理は実行されない。従って、コンテンツの再生が可能である。そして、無効化手段による無効化処理の実行後は、コンテンツの再生が不可能になる。何故ならば、必須データが無効化されている場合には、読出手段が必須データを読み出せないからである。
【００２３】
本発明にあっては、必須データは、ファイルシステム、復号鍵、及び／又は、許否情報を示す。
必須データが、第２記録層に記録されているコンテンツデータを管理するためのファイルシステムを示す場合、このファイルシステムが無効化されているときには、第２記録層からコンテンツデータを読み出すことができない。従って、再生手段によるコンテンツの再生は不可能である。逆に、無効化されていないときには、コンテンツデータを読み出せるため、再生手段によるコンテンツの再生が可能である。
【００２４】
必須データが、暗号化されているコンテンツデータを復号するための復号鍵を示す場合、この復号鍵が無効化されているときには、仮に、第２記録層からコンテンツデータを読み出すことができたとしても、読み出したコンテンツデータを復号することができない。従って、再生手段によるコンテンツの再生は不可能である。逆に、無効化されていないときには、コンテンツデータを復号できるため、再生手段によるコンテンツの再生が可能である。
【００２５】
必須データが、コンテンツデータの利用の許可又は禁止を意味する許否情報を示す場合、この許否情報が無効化されているときには、許否情報に基づいて、利用の許否を判定することができない。また、許否情報が、コンテンツデータの利用の許可を意味するものであれば、この許否情報が無効化されているときには、第２記録層に記録されているコンテンツデータの利用は禁止されている、ともいえる。従って、再生手段によるコンテンツの再生は不可能である。逆に、コンテンツデータの利用の許可を意味する許否情報が無効化されていないときには、コンテンツデータの利用が許可されているため、再生手段によるコンテンツの再生が可能である。
【００２６】
以上のことから、ファイルシステム、復号鍵、及び許否情報の内、何れか一つ、又は複数の組み合わせによって、コンテンツデータの利用回数又は有効期間等を容易に制限することができる。
【００２７】
本発明にあっては、コンテンツデータの利用が禁止されている場合、無効化手段は、必須データの削除、必須データの変更、又は、第１記録層の破壊を行なう。
第１記録層に記録されている必須データが削除されれば、読出手段は必須データを読み出せない。従って、再生手段によるコンテンツの再生は不可能である。
ところが、この場合には、第１記録層が物理的に破壊されているわけではない。このため、例えば、外部の記憶装置にバックアップしておいた必須データを第１記録層に書き戻せば、読出手段は必須データを読み出せる。従って、再生手段によるコンテンツの再生は可能である。
【００２８】
第１記録層に記録されている必須データが、所定の変更手順で、必須データとは異なるデータに変更されれば、読出手段は必須データを読み出せない。従って、再生手段によるコンテンツの再生は不可能である。
ところが、この場合には、第１記録層が物理的に破壊されているわけではない。このため、例えば、所定の変更手順に基づき、変更後のデータを変更前の必須データに再変更すれば、読出手段は必須データを読み出せる。従って、再生手段によるコンテンツの再生は可能である。
【００２９】
このように、必須データの削除又は必須データの変更によって必須データを無効化する場合には、コンテンツデータの利用の許可／禁止を適宜に切り替えることができる。また、コンテンツデータの利用は禁止されたままでも、第１記録層を再利用することによって、本発明の光ディスクを、データの書き込みが可能な一般的な光ディスクと同様に有効活用することができる。
【００３０】
一方、第１記録層が破壊されれば、読出手段は必須データを読み出せない。従って、再生手段によるコンテンツの再生は不可能である。
この場合には、第１記録層を、必須データが記録されている状態に戻すことができないため、コンテンツデータの無制限な利用を更に確実に抑制することができる。
【００３１】
本発明にあっては、データ記録装置が、自身に装着された光ディスクの第１記録層に、必須データを記録する。
必須データが無効化されている光ディスクは、コンテンツの再生が不可能な状態になっている。このとき、データ記録装置を用いて第１記録層に必須データを記録することによって、コンテンツの再生が不可能な状態になっている光ディスクを、コンテンツの再生が可能な状態に戻すことができる。
【００３２】
ただし、コンテンツの再生が不可能な状態から可能な状態に戻せる光ディスクとは、第１記録層に対する必須データの書き込みが可能な（即ち、第１記録層が破壊されておらず、第１記録層の空き容量が必須データのデータ量以上である）光ディスクである。
【発明の効果】
【００３３】
本発明の光ディスク、光ディスク装置、コンテンツ再生システム及びコンテンツ再生方法による場合、複数層式の光ディスクが有する第１記録層を用いて、コンテンツの著作権保護とユーザの利便性とを両立させることができる。
何故ならば、コンテンツデータの利用が禁止されている場合に、第１記録層に記録されている必須データが無効化されるため、光ディスク装置でコンテンツを再生することができないからである。しかも、このとき、第２記録層に記録されているコンテンツデータが無効化されるわけではない。従って、コンテンツデータそのものを失うことなくコンテンツデータの利用回数又は有効期間等を制限することができる。
【００３４】
更に、コンテンツデータの利用が許可されている場合には、同一の光ディスクにコンテンツデータと必須データとが夫々記録されているため、コンテンツデータの利用が禁止されるまでは、異なる光ディスク装置でコンテンツを再生することができる。換言すれば、コンテンツを再生することができる光ディスク装置が限定されない。
【図面の簡単な説明】
【００３５】
【図１】本発明の実施の形態１に係るコンテンツ再生システムの要部構成を示すブロック図である。
【図２】本発明の実施の形態１に係る光ディスク装置が備えるディスクドライブの要部構成を示すブロック図である。
【図３】本発明の実施の形態１に係るコンテンツ再生システムが備えるＰＣ（パーソナルコンピュータ）の要部構成を示すブロック図である。
【図４】本発明の実施の形態１に係るコンテンツ再生システムが備えるＰＣで実行されるデータ記録処理の手順を示すフローチャートである。
【図５】本発明の実施の形態１に係る光ディスク装置で実行されるコンテンツ再生処理の手順を示すフローチャートである。
【図６】本発明の実施の形態２に係る光ディスク装置で実行されるコンテンツ再生処理の手順を示すフローチャートである。
【図７】本発明の実施の形態３に係る光ディスク装置で実行されるコンテンツ再生処理の手順を示すフローチャートである。
【発明を実施するための形態】
【００３６】
以下、本発明を、その実施の形態を示す図面に基づいて詳述する。
【００３７】
実施の形態  １．
図１は、本発明の実施の形態１に係るコンテンツ再生システム６の要部構成を示すブロック図である。コンテンツ再生システム６は、光ディスク装置１、光ディスク２、及びＰＣ５を備えている。
図２は、光ディスク装置１が備えるディスクドライブ３の要部構成を示すブロック図である。
光ディスク装置１は、ＢＤ規格に準拠している据え置き型のＢＤプレーヤである。光ディスク装置１は、図１に示すように、装置本体１５と、装置本体１５とは別体のリモコン（リモートコントローラ）１６とを備えている。
【００３８】
光ディスク装置１のユーザは、リモコン１６が有する図示しない各種の操作ボタンを押圧することによって、光ディスク装置１を操作する。リモコン１６は、操作ボタンが押圧された場合に、赤外線方式又はＲＦ方式等の通信方式で、押圧された操作ボタンに応じた操作信号を光ディスク装置１へ送信する。
光ディスク装置１の装置本体１５は、ＣＰＵ１０、ＲＯＭ１１、ＲＡＭ１２、再生部１３、受信部１４、及びディスクドライブ３を備えている。
ＣＰＵ１０は、光ディスク装置１の制御中枢である。ＣＰＵ１０は、読み書き可能な揮発性メモリであるＲＡＭ１２を作業領域として用い、読み出し専用の不揮発性メモリであるＲＯＭ１１に記憶されたコンピュータプログラムに従って装置本体１５の各部を制御し、各種処理を実行する。
【００３９】
受信部１４は操作信号を受信し、受信した操作信号をＣＰＵ１０へ出力する。
なお、光ディスク装置１が携帯型のＢＤプレーヤである場合、受信部１４及びリモコン１６に替えて、装置本体１５に操作部が備えられていてもよい。ユーザは、この操作部が有する各種の操作ボタンを押圧することによって、光ディスク装置１を操作する。操作部は、操作ボタンが押圧された場合に、押圧された操作ボタンに応じた操作信号をＣＰＵ１０へ出力する。
再生部１３は、コンテンツを再生するためのものであり、コンテンツを示すコンテンツデータが入力される。本実施の形態では、コンテンツとして、動画像及び音声を有する映画を例示する。なお、コンテンツは映画に限定されず、静止画像、ゲーム、又はオペレーティングシステム等でもよい。
【００４０】
再生部１３は、図示しない外部のテレビジョン装置に接続されている。このテレビジョン装置は、動画像を表示する液晶パネルと、音声を出力するスピーカとを備えている。
コンテンツデータが入力された場合に、再生部１３は、入力されたコンテンツデータから動画像を示す動画像データと音声を示す音声データとを分離する。次いで、再生部１３は、分離された動画像データと音声データとの同期を保ちながら、動画像データ及び音声データをテレビジョン装置へ送信する。
この結果、テレビジョン装置では、映画の動画像が液晶パネルに表示され、映画の音声がスピーカから出力される。
【００４１】
コンテンツデータが暗号化されている場合には、再生部１３には、コンテンツデータと共に、このコンテンツデータに対応する復号鍵のデータも入力される。この場合、再生部１３は、暗号化されているコンテンツデータを、復号鍵のデータを用いて復号する。
【００４２】
なお、光ディスク装置１が携帯型のＢＤプレーヤである場合、再生部１３は、動画像を表示する図示しない液晶パネルと、音声を出力する図示しないスピーカとを有している。
この場合、コンテンツデータが入力されたときに、再生部１３は、入力されたコンテンツデータから動画像データと音声データとを分離する。次いで、再生部１３は、分離された動画像データと音声データとの同期を保ちながら、動画像データを液晶パネルに与え、音声データをスピーカに与える。
この結果、光ディスク装置１では、映画の動画像が液晶パネルに表示され、映画の音声がスピーカから出力される。
【００４３】
ディスクドライブ３は、ディスクトレイ３０、スピンドルモータ３１、ドライブ制御部３２、信号処理部３３、データ検出部３４、及び光ピックアップ４を備えている。
ドライブ制御部３２は、ＣＰＵ１０に制御されることによって、ディスクドライブ３の各部を制御する。換言すれば、ＣＰＵ１０は、ドライブ制御部３２を介して、ディスクドライブ３の各部を間接的に制御する。
【００４４】
ディスクトレイ３０には、ディスクトレイ３０を装置本体１５に対して出没させるための図示しないトレイ出没機構が付随している。ＣＰＵ１０は、ドライブ制御部３２を介してトレイ出没機構を作動させることによって、ディスクトレイ３０を装置本体１５から突出させるか、又は、ディスクトレイ３０を装置本体１５へ没入させる。ディスクトレイ３０の出／没は、例えば、ユーザがリモコン１６に備えられているイジェクトボタンを押圧した場合に切り替えられる。
【００４５】
ディスクトレイ３０には、光ディスク２が着脱可能に装着される。ユーザは、ディスクトレイ３０に所望の光ディスク２を装着し、又は、ディスクトレイ３０に載置されている光ディスク２を所望の光ディスク２と取り替える。
スピンドルモータ３１は、ディスクトレイ３０が装置本体１５に収容されている場合に、ドライブ制御部３２に制御されることによって、ディスクトレイ３０に装着されている光ディスク２を回転させる。
【００４６】
ここで、図１及び図２を参照して、光ディスク２の構成を説明する。
光ディスク２は、円形状の基板２０の一面（図２中の下面）に、ＲＥ（Rewritable）層２１及びＲＯＭ（Read Only Memory）層２２が、この順に積層されてなる。ＲＥ層２１の下面は、データの書き換えが可能な記録面であり、ＲＯＭ層２２の下面は、データが予め記録されている読み出し専用の記録面である。ここで、ＲＥ層２１及びＲＯＭ層２２は、本発明の実施の形態における第１記録層及び第２記録層として機能する。
【００４７】
ＲＥ層２１及びＲＯＭ層２２の記録面夫々には、同心円状に複数本のトラックが、規則的なピッチで形成されている。各トラックは、例えば規則的に蛇行する記録溝（ウォブルグルーブ）を用いてなり、記録溝の底部にデータが書き込まれる。また、記録溝の蛇行を利用して、データの書き込み位置／読み出し位置が位置決め（アドレッシング）される。
なお、光ディスク２の構成は、このような構成に限定されるものではない。例えば、螺旋状に１本のトラックが形成されていてもよく、隣り合う記録溝間の凸部（ランド）にＬＰＰが形成され、ＬＰＰを利用して位置決めがなされてもよい。
【００４８】
また、本実施の形態における光ディスク２は、ＲＥ層２１及びＲＯＭ層２２が１層ずつ積層されているが、ＲＥ層２１及びＲＯＭ層２２の一方又は両方が複数層、積層されていてもよい。更に、ＲＥ層２１及びＲＯＭ層２２の積層順は、逆順であってもよい。
以下では、ＲＥ層２１の記録面及びＲＯＭ層２２の記録面の内、データを読み書きすべき記録面を、記録再生対象という。また、ＲＥ層２１の記録面とＲＯＭ層２２の記録面とを区別しない場合には、光ディスク２の下面という。
【００４９】
光ピックアップ４は、回転している光ディスク２に対して光ビームを照射し、光ディスク２が反射した光ビームを電気信号に変換してから信号処理部３３へ出力する。
更に詳細には、光ピックアップ４は、図２に示すように、対物レンズ機構４１、１／４波長板４２、球面収差補正機構４３、偏光ビームスプリッタ４４、回折格子４５、光源４６、受光光学系４７、及び光検出部４８を備えている。
光ピックアップ４を構成している各部の内、対物レンズ機構４１は、光ディスク２の下面に最も近い位置に配されている。
【００５０】
対物レンズ機構４１は、光ビームを光ディスク２の下面に集光させるための対物レンズ４１１と、対物レンズアクチュエータ４１２とを備えている。
対物レンズ４１１の光軸方向（以下、単に光軸方向という）は、対物レンズ４１１のフォーカシング方向に一致し、光ディスク２の下面の法線方向に沿う。
対物レンズアクチュエータ４１２は、ドライブ制御部３２に制御されることによって、対物レンズ４１１を、フォーカシング方向（即ち光ディスク２に対して接離する方向）又はトラッキング方向へ移動させる。
【００５１】
更に詳細には、対物レンズ４１１は、モールド成形された非球面単レンズであり、ＮＡ（Numerical Aperture）０．８５の高ＮＡを有している。対物レンズアクチュエータ４１２は、例えばマグネット方式の２軸アクチュエータであり、対物レンズ４１１を支持する弾性体と、対物レンズ４１１を駆動するための磁石及びコイルとを有している。このような対物レンズアクチュエータ４１２は、コイルへの通電によって、対物レンズ４１１をフォーカシング方向又はトラッキング方向へ移動させる。
【００５２】
スピンドルモータ３１によって回転させられている光ディスク２の下面に対して光ビームを照射すべく、光源４６は、光軸方向に光ビームを出力する。具体的には、光源４６は、例えば、ＧａＮ（窒化ガリウム）のＩｎ（インジウム）混晶を含むＬＤ（Laser Diode ）を用いてなり、波長４０５nmのレーザ光を発振する。
対物レンズ４１１の光軸上、且つ、対物レンズ機構４１と光源４６との間には、光源４６側から対物レンズ機構４１側へ、回折格子４５、偏光ビームスプリッタ４４、球面収差補正機構４３、及び１／４波長板４２が、この順に配されている。
【００５３】
光源４６が出力した光ビームは、まず、回折格子４５を通過する。回折格子４５は、対物レンズ４１１に入射する光ビームを最適化するための光学素子である。
回折格子４５を通過した光ビームは、偏光ビームスプリッタ４４を透過する。
球面収差補正機構４３は、対物レンズ４１１の位置の変化に伴って変化する球面収差、即ち、フォーカス位置の変更に伴って変化する球面収差を補正するための補正機構である。具体的には、球面収差補正機構４３は、コリメートレンズ４３１、枠部４３２、支持軸４３３，４３３，…、及びコリメートレンズ駆動モータ４３４を備えている。
【００５４】
枠部４３２は、コリメートレンズ４３１の周縁部に設けられており、支持軸４３３，４３３，…は、コリメートレンズ４３１が光軸方向へ移動可能に、枠部４３２を支持する。そして、コリメートレンズ駆動モータ４３４は、ドライブ制御部３２に制御されることによって、枠部４３２を、延いてはコリメートレンズ４３１を、光軸方向へ移動させる。
偏光ビームスプリッタ４４を透過した光ビームは、コリメートレンズ４３１を下側から上側へ通過する。
コリメートレンズ４３１を通過することによって球面収差が補正された光ビームは、次に、１／４波長板４２を下側から上側へ通過することによって、直線偏光の光ビームから円偏光の光ビームへ変換される。
【００５５】
１／４波長板４２を通過した光ビームは、対物レンズ４１１を下側から上側へ通過し、次いで、光ディスク２の下面に入射する。
光ディスク２の下面は、入射した光ビームを反射する。このとき、反射された光ビームには、記録再生対象によって反射されたものと、記録再生対象以外の記録面によって反射されたものとが含まれている。
反射された光ビームは、まず、対物レンズ４１１を上側から下側へ通過し、次に、１／４波長板４２を上側から下側へ通過することによって、円偏光の光ビームから直線偏光の光ビームへ変換される。
【００５６】
１／４波長板４２を通過した光ビームは、コリメートレンズ４３１を上側から下側へ通過し、次に、偏光ビームスプリッタ４４によって、光軸方向に交差する方向へ屈折する。このように、偏光ビームスプリッタ４４は、光ディスク２に入射すべき光ビームと、光ディスク２が反射した光ビームとを分離する。
偏光ビームスプリッタ４４で屈折した光ビームは、受光光学系４７に入射する。
受光光学系４７に入射した光ビームは、記録再生対象が反射した光ビームと、記録再生対象以外の記録面が反射した光ビームとに分離される。このために、受光光学系４７は、例えばホログラム素子を備えている。
【００５７】
分離された光ビームの内、記録再生対象が反射した光ビームには、例えば非点収差が与えられる。このために、受光光学系４７は、シリンドリカルレンズを備えている。
この後、記録再生対象が反射した光ビームは、光検出部４８に入射する。
【００５８】
光検出部４８は、記録再生対象が反射した光ビームを光電変換するＰＤ（Photo Diode ）を用いてなる。更に詳細には、光検出部４８の受光面は、自身に入射する光ビームの光軸を交点として直交する２本の仮想的な線分によって、４つの検出面に４等分されており、４等分された検出面夫々に、複数個のＰＤが配されている。この結果、各検出面に光ビームが入射した場合、検出面夫々が受光した光ビームの強度に応じた４つの電気信号が、信号処理部３３へ出力される。
以上のような光ピックアップ４は、図示しない案内軌条に支持されており、ドライブ制御部３２に制御された図示しない光ピックアップ駆動モータが作動した場合に、光ディスク２の径方向に移動するように構成されている。
【００５９】
信号処理部３３は、入力された４つの電気信号に基づいて、ＲＦ（Radio Frequency ）信号、ＴＥ（Tracking Error）信号、及びＦＥ（Focus Error ）信号を生成し、生成したＲＦ信号、ＴＥ信号、及びＦＥ信号を、ドライブ制御部３２へ出力する。このために、信号処理部３３は、例えば入力された４つの電気信号の電圧レベルの加算結果に等しい電圧レベルを有するＲＦ信号を生成する。
ＲＦ信号は、記録再生対象における光ビームの入射位置に、意味のあるデータ（例えば、コンテンツデータ又は後述する必須データ等。以下、記録データという）が記録されているか否かを示すものであり、記録データが記録されている場合には、記録されている記録データの内容を示すものである。
【００６０】
ＴＥ信号は、記録再生対象における光ビームのトラッキング位置と、記録再生対象に形成されているトラックとの、光ディスク２の径方向の位置ズレを示すものである。
ＦＥ信号は、光ビームのフォーカス位置と、記録再生対象との、光ディスク２の法線方向の位置ズレを示すものである。
ドライブ制御部３２は、入力されたＲＦ信号、ＴＥ信号、及びＦＥ信号に基づいて、光ピックアップ４の対物レンズアクチュエータ４１２及びコリメートレンズ駆動モータ４３４を制御する。この結果、光ピックアップ４に係るトラッキング位置、フォーカス位置、及び球面収差等が、夫々適切な位置に調節される。
【００６１】
なお、光ピックアップ４は、受光光学系４７で分離された光ビームの内、記録再生対象以外の記録面が反射した光ビームが、光検出部４８以外の光検出部に入射するように構成されていてもよい。この光検出部は、光検出部４８と同様に構成されており、この光検出部が出力した４つの電気信号も、信号処理部３３へ出力される。この場合、信号処理部３３は、入力された合計８つの電気信号に基づいて、ＲＦ信号、ＴＥ信号、及びＦＥ信号を生成する。このとき、ドライブ制御部３２によるトラッキング位置及びフォーカス位置等の調整が、更に正確に行なわれる。
【００６２】
また、ドライブ制御部３２は、入力されたＲＦ信号を、データ検出部３４へ出力する。
ＲＦ信号が入力されたデータ検出部３４は、入力されたＲＦ信号に基づいて、記録再生対象に記録されている記録データ、又は、記録データが記録再生対象に記録されていないことを示す無意味なデータを検出する。このために、データ検出部３４は、アナログ信号であるＲＦ信号をＡＤ変換するＡＤ変換部、ＡＤ変換後のデジタル信号から各種データを検出するためのリミットイコライザ、復調部、及び誤り訂正部等を備えている。
【００６３】
なお、データ検出部３４が有する機能の一部を、ドライブ制御部３２が有していてもよい。また、ドライブ制御部３２とデータ検出部３４とがワンチップで構成されていてもよい。
【００６４】
データ検出部３４が検出した各種データは、ＲＡＭ１２に一時記憶され（図１参照）、その後、ＲＡＭ１２から読み出されることによって、ＣＰＵ１０及び／又は再生部１３に入力される。
以上のように、光ディスク装置１では、ＲＥ層２１及びＲＯＭ層２２夫々から読み出された記録データが、例えばＨＤＤ（ハードディスク）のような大容量記憶装置にインストールされることなく、使用される。
次に、光ディスク２に対して読み書きされる記録データについて説明する。
【００６５】
ＲＯＭ層２２の記録面（以下、単にＲＯＭ層２２という）には、少なくともコンテンツデータが記録されている。ＲＯＭ層２２には、コンテンツデータの他にも各種の記録データが記録されている。
例えば、ＲＯＭ層２２には、ＲＥ層２１の記録面（以下、単にＲＥ層２１という）及びＲＯＭ層２２夫々に記録されている記録データを管理するためのファイルシステムのデータが記録されている。ファイルシステムは、ＦＡＴ又はＨＦＳ等である。
また、ＲＯＭ層２２に記録されているコンテンツデータ（以下、単にコンテンツデータという）が暗号化されている場合、ＲＯＭ層２２には、コンテンツデータを復号するための復号鍵のデータが記録されている。
【００６６】
ただし、後述するように、ファイルシステムのデータ及び／又は復号鍵のデータを、本発明の実施の形態に係る必須データとして用いる場合には、必須データは、ＲＥ層２１に記録され、ＲＯＭ層２２には記録されない。
以下では、光ディスク２がレンタル品である場合を説明する。また、コンテンツデータが示す映画の著作権を保護するために、本実施の形態では、コンテンツデータの利用回数を、所定の上限回数（具体的には１回）までに制限する場合を例示する。
【００６７】
コンテンツデータを利用した利用回数を示す回数データは、ＲＥ層２１に記録される。本実施の形態では、コンテンツが再生された場合に、利用回数が“１”インクリメントされる。
上限回数は１回であるため、利用回数が０回であることを示す回数データ（以下、回数データ「０」という）は、コンテンツデータの利用の許可を意味する許否情報として機能する。また、利用回数が１回以上であることを示す回数データ（以下、回数データ「１」という）は、コンテンツデータの利用の禁止を意味する許否情報として機能する。回数データ「０」と回数データ「１」とを区別しない場合、以下では、単に回数データという。
【００６８】
光ディスク装置１は、図１に示すように、ユーザの自宅Ｈに設置されている。ユーザは、レンタルショップＳで、レンタル業者から光ディスク２を借り受ける。レンタルショップＳには、レンタル業者が使用するＰＣ５が設置されている。
図３は、ＰＣ５の要部構成を示すブロック図である。
ＰＣ５は、一般的なパーソナルコンピュータを用いてなり、ＣＰＵ５０、ＲＯＭ５１、ＲＡＭ５２、ＨＤＤ５３、表示部５４、操作部５５、及びディスクドライブ５６を備えている。
ＨＤＤ５３には、各種のコンピュータプログラム及びデータが記憶されている。
【００６９】
ＣＰＵ５０は、ＰＣ５の制御中枢である。ＣＰＵ５０は、ＲＡＭ５２を作業領域として用い、ＲＯＭ５１に記憶されたコンピュータプログラムに従って、ＰＣ５の各部を制御し、各種処理を実行する。
表示部５４は、液晶ディスプレイを用いてなり、操作部５５は、キーボード及びマウスを用いてなる。
ディスクドライブ５６には、ユーザから返却された光ディスク２が装着される。この光ディスク２のＲＥ層２１には、回数データ「１」が記録されており、また、必須データは記録されていない。
【００７０】
レンタル業者は、ユーザに対して光ディスク２を貸し出す前に、回数データ「０」をＲＥ層２１に記録させる。更に、レンタル業者は、コンテンツデータの利用に必須の必須データをＲＥ層２１に記録させる。このために、レンタル業者は、必須データのバックアップデータを光ディスク２の外部に保管しておく。具体的には、バックアップデータは、ＰＣ５のＨＤＤ５３に保存されている。
【００７１】
ここで、必須データの記録とは、光ディスク２の外部から読み出してきた必須データを、ＲＥ層２１に書き込むことを意味する。また、回数データ「０」の記録とは、ＲＥ層２１に記録されている回数データ「１」を、回数データ「０」に書き換えることを意味する。
必須データ及び回数データ「０」をＲＥ層２１に記録するために、レンタル業者は、ＰＣ５の表示部５４を視認しながら、操作部５５を操作することによって、次の図４に示すデータ記録処理を実行させる。
【００７２】
図４は、ＰＣ５で実行されるデータ記録処理の手順を示すフローチャートである。このデータ記録処理は、ディスクドライブ５６に光ディスク２が装着された場合に実行される。ＣＰＵ５０にデータ記録処理を実行させるためのコンピュータプログラムは、光ディスク２に記録されていてもよく、ＨＤＤ５３に記憶されていてもよい。
【００７３】
ＣＰＵ５０は、ディスクドライブ５６に装着されている光ディスク２のＲＥ層２１に、必須データが記録されているか否かを判定し（Ｓ５１）、記録されていない場合は（Ｓ５１でＮＯ）、ＨＤＤ５３から必須データを読み出して（Ｓ５２）、ＲＥ層２１に書き込む（Ｓ５３）。
Ｓ５３の処理終了後、又は、ＲＥ層２１に必須データが記録されている場合（Ｓ５１でＹＥＳ）、ＣＰＵ５０は、ＲＥ層２１に回数データ「０」が記録されているか否かを判定し（Ｓ５４）、記録されていない場合は（Ｓ５４でＮＯ）、回数データ「１」を回数データ「０」に書き換える（Ｓ５５）。
【００７４】
Ｓ５５の処理終了後、又は、ＲＥ層２１に回数データ「０」が記録されている場合（Ｓ５４でＹＥＳ）、ＣＰＵ５０は、光ディスク２を自動的にイジェクトしてから（Ｓ５６）、データ記録処理を終了する。
なお、ＨＤＤ５３からＲＥ層２１への必須データのコピー、及び／又は、回数データ「１」の回数データ「０」への書き換えは、レンタル業者が手動で実行してもよい。
【００７５】
本実施の形態では、ファイルシステムのデータを必須データとして用いる場合を例示する。必須データは、後述するように、コンテンツが再生された場合に、即ち回数データ「０」が回数データ「１」に書き換えられている場合に、削除される。
また、本実施の形態における必須データの削除とは、必須データが記録されている記録領域に、必須データとは異なるデータを上書きすることを意味する。この場合、ＲＥ層２１に残留している必須データの不正な復旧が防止される。
【００７６】
ファイルシステムのデータが削除されれば、光ディスク装置１では、コンテンツデータの読み出しは勿論のこと、ＲＥ層２１に記録されているデータの読み書きすら不可能になる。この結果、必須データが削除されれば、コンテンツの再生が不可能になる。
ところで、ファイルシステムのデータが削除されていても、光ディスク２を、レンタル業者のＰＣ５に内蔵されているディスクドライブ５６にセットし、ＲＥ層２１に強制的にアクセスすることはできる。従って、ファイルシステムのバックアップデータを保管しているレンタル業者は、ＰＣ５を用いて、ＲＥ層２１にファイルシステムのデータを書き込むことができる。
【００７７】
必須データは、ＲＥ層２１の記録領域の内、所定の記録領域に記録されることが望ましい。所定の記録領域は、光ピックアップ４に係るフォーカス位置及び球面収差等を調整する場合に用いられる焦点調整領域、又は焦点調整領域の近傍に位置していることが望ましい。この場合、必須データが所定の記録領域以外に記録される場合に比べて、必須データの読み出しに要する時間が短縮される。
以上のように、データ記録処理を実行するＰＣ５は、本発明の実施の形態におけるデータ記録装置として機能する。
【００７８】
なお、製造業者からレンタル業者へ配布される光ディスク２には、予めＲＥ層２１に必須データ及び回数データ「０」が記録されているが、これに限定されるものではない。例えば、ＲＥ層２１に必須データが記録されていない光ディスク２と、必須データが記録された記録媒体（例えば光ディスク２以外の光ディスク、又は不揮発性のメモリデバイス等）とがセットで配布されてもよい。
【００７９】
図５は、光ディスク装置１で実行されるコンテンツ再生処理の手順を示すフローチャートである。コンテンツ再生処理は、ディスクトレイ３０に光ディスク２が装着されている場合に実行される。ＣＰＵ１０にコンテンツ再生処理を実行させるためのコンピュータプログラムは、光ディスク２に記録されていてもよく、ＲＯＭ１１に記憶されていてもよい。
【００８０】
ＣＰＵ１０は、ＲＥ層２１からの必須データの読み出しを試みる（Ｓ１１）。Ｓ１１におけるＣＰＵ１０及びディスクドライブ３の各部は、本発明の実施の形態における読出手段として機能する。
次に、ＣＰＵ１０は、必須データが読み出せたか否かを判定する（Ｓ１２）。Ｓ１２におけるＣＰＵ１０は、本発明の実施の形態における必須判定手段として機能する。
【００８１】
必須データが読み出せない場合（Ｓ１２でＮＯ）、即ち、Ｓ１１の処理でＲＥ層２１から読み出せるデータが、必須データとは異なるデータ（例えば無意味なデータ）のみである場合、ＣＰＵ１０は、ユーザに対してエラーを報知する（Ｓ１３）。このために、ＣＰＵ１０は、外部のテレビジョン装置に、コンテンツの再生が許可されていないことを意味するメッセージを表示させるためのデータを、再生部１３へ出力する。
Ｓ１３の処理終了後、ＣＰＵ１０は、光ディスク２を自動的にイジェクトしてから（Ｓ１４）、コンテンツ再生処理を終了する。
【００８２】
必須データが読み出せた場合（Ｓ１２でＹＥＳ）、ＣＰＵ１０は、ＲＥ層２１から回数データを読み出し（Ｓ１５）、読み出した回数データが回数データ「１」であるか否かを判定する（Ｓ１６）。Ｓ１６におけるＣＰＵ１０は、本発明の実施の形態における条件判定手段として機能し、読み出した回数データが回数データ「１」であることは、コンテンツデータの利用の禁止を意味する所定の条件が成立していることに相当する。
【００８３】
Ｓ１５で読み出した回数データが回数データ「１」である場合（Ｓ１６でＹＥＳ）、コンテンツデータの利用、延いてはコンテンツの再生が禁止されているにも拘らず、必須データが削除されていないという不都合が生じている。このため、ＣＰＵ１０は、ＲＥ層２１に記録されている必須データを削除し（Ｓ１７）、処理をＳ１３へ移す。Ｓ１７におけるＣＰＵ１０及びディスクドライブ３の各部は、本発明の実施の形態における無効化手段として機能する。
【００８４】
Ｓ１５で読み出した回数データが回数データ「０」である場合（Ｓ１６でＮＯ）、コンテンツの再生が許可されている。従って、ＣＰＵ１０は、ＲＯＭ層２２からコンテンツデータを読み出し（Ｓ１８）、読み出したコンテンツデータを再生部１３へ出力することによって、コンテンツを再生する（Ｓ１９）。Ｓ１９におけるＣＰＵ１０及びディスクドライブ３の各部は、本発明の実施の形態における再生手段として機能する。
【００８５】
そして、ＣＰＵ１０は、コンテンツの再生が終了したか否かを判定し（Ｓ２０）、終了していない場合は（Ｓ２０でＮＯ）、処理をＳ１８へ戻す。
ここで、コンテンツの再生が終了した場合とは、例えば、映画が最初から最後まで再生された場合である。映画の再生が中断された場合には、コンテンツの再生が終了したと看做さなくてもよい。このとき、映画がどこからどこまで再生されたかを示すデータをＲＥ層２１に書き込んでおけば、ユーザは、後日改めて未再生部分を視聴することができる。
【００８６】
ところで、本実施の形態では、上限回数は１回であるため、Ｓ２０におけるＣＰＵ１０は、本発明の実施の形態における条件判定手段として機能し、コンテンツの再生が終了することは、コンテンツデータの利用の禁止を意味する所定の条件が成立することに相当する。
ただし、上限回数がＮ（ＮはＮ≧２の自然数）回であれば、後述するＳ２１の処理終了後に、回数データが示す利用回数がＮ回以上であるか否かを判定する処理を実行する必要があり、この処理が、条件判定手段による条件判定処理として機能する。この場合には、回数データが示す利用回数がＮ回以上であることが、コンテンツデータの利用の禁止を意味する所定の条件が成立していることに相当する。
【００８７】
コンテンツの再生が終了した場合（Ｓ２０でＹＥＳ）、ＣＰＵ１０は、回数データ「０」を回数データ「１」に書き換える（Ｓ２１）。つまり、ＣＰＵ１０は、回数データが示す利用回数を“１”インクリメントする。
次いで、ＣＰＵ１０は、ＲＥ層２１に記録されている必須データを削除し（Ｓ２２）、処理をＳ１４へ移す。Ｓ２２におけるＣＰＵ１０及びディスクドライブ３の各部は、本発明の実施の形態における無効化手段として機能する。
【００８８】
以上のような光ディスク装置１は、ＲＥ層２１に記録されている必須データを所定条件下で削除することによって、コンテンツデータの利用回数を上限回数以下に制限することができ、延いては、コンテンツの著作権を保護することができる。また、ＲＥ層２１に必須データが記録されている間は、異なる光ディスク装置１，１，…でコンテンツデータを利用することができ、更に、ＲＥ層２１に必須データを書き戻せば、ＲＯＭ層２２に記録されているコンテンツデータを再び利用することができるため、ユーザの利便性を向上することができる。
【００８９】
なお、光ディスク装置１は、ファイルシステムのデータのみを必須データとして用いる構成に限定されるものではない。即ち、光ディスク装置１は、ファイルシステムのデータ、復号鍵のデータ、及び許否情報のデータ等の内、１又は複数を必須データとして用いる構成であればよい。
復号鍵のデータが削除されれば、暗号化されているコンテンツデータの復号が不可能になる。また、許否情報のデータが削除されれば、図５に示すＳ１２でＮＯと判定され、Ｓ１８の処理が実行されないため、コンテンツデータの読み出しが不可能になる。以上の結果、１又は複数の必須データが削除されれば、コンテンツの再生が不可能になる。
【００９０】
ただし、コンテンツデータがストリームデータである場合には、少なくとも復号鍵のデータを必須データとして用いるべきである。
復号鍵のデータを必須データとして用いる場合には、ＣＰＵ１０は、Ｓ１６でＮＯと判定した後で、ＲＥ層２１から必須データを読み出す処理、及び読み出せたか否かを判定する処理を実行してもよい。
ところで、許否情報のデータを必須データとして用いる場合には、ＣＰＵ１０は、Ｓ２１の処理を実行する必要はない。この場合、レンタル業者による光ディスク２の貸し出し時に、図４に示すＳ５５の処理で、回数データ「０」がＲＥ層２１に書き込まれる。
【００９１】
ファイルシステムのデータ、復号鍵のデータ、及び許否情報のデータの内、２種類以上を必須データとして用いる場合には、１種類の必須データを用いる場合と比べて、コンテンツデータの利用回数を更に確実に制限することができる。何故ならば、何らかのエラーが生じて一の必須データが削除されなかった場合であっても、又は、削除後に不正に書き込まれた場合であっても、他の必須データが削除されていれば、コンテンツデータを利用することができないからである。
【００９２】
必須データの削除は、必須データが記録されている記録領域に無意味なデータを上書きする手法に限定されない。例えば、必須データの削除は、ファイルシステムにおいて、必須データを含むデータファイルのファイル名に、削除を意味する識別情報を付与する手法でもよい。この場合、必須データはＲＥ層２１から読み出せなくなるだけであって、ＲＥ層２１には残留している。従って、この手法は、残留している必須データに他のデータが上書きされない限り、ファイルシステムにおいてファイル名を元に戻せば必須データがアンデリートされる、という意味で、後述する必須データの変更と看做すこともできる。
【００９３】
更に、ＲＥ層２１に記録されているデータを管理するためのファイルシステムのデータと、ＲＯＭ層２２に記録されているデータを管理するためのファイルシステムのデータとが異なる場合には、ＲＯＭ層２２用のファイルシステムのデータのみを必須データとして用いてもよい。この場合、ＲＥ層２１用のファイルシステムのデータは削除されないため、必須データが削除されても、ＲＥ層２１に記録されているデータの読み書きは可能である。
【００９４】
本実施の形態の光ディスク装置１は、光ディスク２から読み取ったコンテンツデータに基づいてコンテンツを再生するため、光ディスク装置１でのコンテンツデータの利用回数と、光ディスク装置１でのコンテンツの再生回数とは等しい。
しかしながら、光ディスク装置１は、例えば、光ディスク２から読み取ったコンテンツデータを、図示しない内蔵ＨＤＤにインストールし、内蔵ＨＤＤから読み取ったコンテンツデータに基づいてコンテンツを再生する構成でもよい。この場合、コンテンツデータがインストールされたときに、コンテンツデータの利用回数がインクリメントされる。従って、利用回数と再生回数とは異なることがある。
【００９５】
ここで、光ディスク２が、レンタル品ではなく購入品である場合について説明する。
家庭では、例えば、子供が夜中に映画を視聴しないようにしたい、という要求がある。
この場合、保護者は、光ディスク２の必須データを、自身が所有するＰＣに予めバックアップしておく。保護者が所有するＰＣは、ＰＣ５と同様に、本発明の実施の形態におけるデータ記録装置として機能する。
図５に示すＳ１５の処理では、回数データが読み出される代わりに、光ディスク装置１の図示しない内蔵時計から現在時刻が読み取られ、Ｓ１６の処理では、現在時刻が、例えば午後９時から翌日の午前６時までの時間帯に含まれているか否かが判定される。そして、Ｓ２１及びＳ２２の処理は実行されない。
【００９６】
映画の視聴を禁止する時間帯を示すデータは、ＲＥ層２１に書き込まれていてもよく、ＲＡＭ１２又は光ディスク装置１の図示しないＥＥＰＲＯＭに書き込まれていてもよい。
この場合、子供が夜中に映画を視聴しようとすると、映画が再生されないばかりか、昼間に映画を視聴することもできなくなる。従って、映画を視聴したい子供は、保護者にその旨を申し出るしかない。つまり、子供は、夜中に映画を視聴してはいけない、という家庭のルールを破ったことを、保護者に秘密にしておけば、二度と映画を視聴することができない、という不利益を蒙る。
【００９７】
また、Ｓ１８〜Ｓ２０の処理が実行されている場合に、コンテンツの再生開始から所定時間（例えば１時間）が経過した時点で、ＣＰＵ１０は、コンテンツの再生を強制終了し、Ｓ２１以降の処理を実行してもよい。この場合、子供による映画の視聴が、１回につき所定時間だけに制限される。
以上のような処理を更に発展させれば、子供による映画の視聴を、例えば、休日のみ、又は、１日１回１時間以内等に制限することができる。
【００９８】
ところで、必須データは、光ディスク装置１の外部でＲＥ層２１に書き込まれる構成に限定されるものではない。
例えば、光ディスク装置１は、例えばインターネットを介して、光ディスク２の製造元のサーバに接続される。保護者は、光ディスク２の購入時に、ライセンス情報も購入する。
【００９９】
ＲＥ層２１から必須データが読み出せない場合、光ディスク装置１は、ライセンス情報を受け付ける。保護者は、リモコン１６を操作することによって、ライセンス情報を入力する。この後、光ディスク装置１は、入力されたライセンス情報を、光ディスク２の製造元のサーバへ送信する。サーバでは、ライセンス情報が正規のものである場合に、光ディスク装置１へ、必須データを送信する。そして、光ディスク装置１は、受信した必須データをＲＥ層２１に書き込む。この結果、コンテンツの再生が可能になる。このとき、光ディスク装置１は、本発明の実施の形態におけるデータ記録装置として機能する。
このような構成であれば、保護者がＰＣを用いて必須データを書き戻す必要がないため、保護者の利便性が向上される。
【０１００】
実施の形態  ２．
本実施の形態の光ディスク装置１及び光ディスク２の構成は、実施の形態１の光ディスク装置１及び光ディスク２の構成と略同様である。ただし、本実施の形態では、必須データの削除に替えて、必須データを変更することによって、コンテンツデータの利用回数を所定の上限回数までに制限する場合を例示する。
その他、実施の形態１に対応する部分には同一符号を付してそれらの説明を省略する。
【０１０１】
光ディスク２における所定の第１記録領域には、ＲＥ層２１及びＲＯＭ層２２夫々に記録されている記録データを管理するためのファイルシステム（以下、第１ファイルシステムという）のデータが記録される。
光ディスク２における所定の第２記録領域には、ＲＥ層２１に記録されている記録データを管理するためのファイルシステム（以下、第２ファイルシステムという）のデータが記録される。
【０１０２】
更に、光ディスク２における所定の第３記録領域には、第１ファイルシステム及び第２ファイルシステムの内、何れか一方のデータが記録される。
第１記録領域、第２記録領域、及び第３記録領域は、何れもＲＥ層２１に設けられている。
以下では、第１ファイルシステム及び第２ファイルシステムを区別しない場合、単にファイルシステムという。
ディスクトレイ３０に光ディスク２が装着された場合、光ディスク装置１のＣＰＵ１０は、第３記録領域に記録されている記録データを読み出し、読み出した記録データが示すファイルシステムを用いて、記録データを管理する。
【０１０３】
このため、第３記録領域に記録されている記録データが第１ファイルシステムのデータであれば、ＣＰＵ１０は、ＲＥ層２１に対する読み書きと、ＲＯＭ層２２からの読み出しとを実行することができる。一方、第３記録領域に記録されている記録データが第２ファイルシステムのデータであれば、ＣＰＵ１０は、ＲＥ層２１に対する読み書きを実行することができるが、ＲＯＭ層２２からの読み出しを実行することはできない。
【０１０４】
レンタル業者は、ユーザに対して光ディスク２を貸し出す場合に、ＰＣ５を用いて、ＲＥ層２１に記録されている回数データ「１」を、回数データ「０」に書き換える。また、レンタル業者は、ＰＣ５を用いて、第２ファイルシステムのデータを、第３記録領域から第２記録領域へ移動させ、第１ファイルシステムのデータを、第１記録領域から第３記録領域へ移動させる。
【０１０５】
本実施の形態では、第１ファイルシステムのデータを必須データとして用いる場合を例示する。必須データは、コンテンツが再生された場合に、即ち回数データ「０」が回数データ「１」に書き換えられている場合に、変更される。
また、本実施の形態における必須データの変更とは、必須データを、第３記録領域から第１記録領域へ移動させ、更に、必須データとは異なるデータを、第２記録領域から第３記録領域へ移動させることを意味する。換言すれば、本実施の形態における必須データの変更とは、コンテンツデータを管理するためのファイルシステムのデータを、コンテンツデータを管理することができないファイルシステムのデータに変更することを意味する。
【０１０６】
本実施の形態では、レンタル業者は、必須データのバックアップデータを光ディスク２の外部に保管しておく必要がない。
なお、不正防止のために、例えば、光ディスク２の製造元が発行したライセンス情報が認証されなければ、第１ファイルシステムのデータの読み書きができないようにしておけばよい。
【０１０７】
また、必須データの変更とは、システムファイルのデータの移動に限定されるものではない。例えば、必須データの変更とは、必須データの所定部分に無駄なデータを挿入するか、又は、必須データを暗号化すること等によって、必須データであったものを、ＣＰＵ１０が、それを必須データであると認識することができないデータに書き換えてしまうことであってもよい。この場合、レンタル業者は、ＰＣ５を用いて、書き換えた後のデータから無駄なデータを削除するか、又は、書き換えた後のデータを復号すること等によって、必須データを復元する。
このように、必須データの変更手順を知っている者にとっては、変更後のデータを変更前の状態に戻すことは容易である。
【０１０８】
ところで、必須データとして、回数データ「０」（即ち、コンテンツデータの利用の許可を意味する許否情報のデータ）が用いられる場合には、回数データ「１」（即ち、コンテンツデータの利用の禁止を意味する許否情報のデータ）が、必須データとは異なるデータとして用いられてもよい。このとき、回数データ「０」を回数データ「１」に書き換えることが、必須データの変更に相当する。
【０１０９】
図６は、光ディスク装置１で実行されるコンテンツ再生処理の手順を示すフローチャートである。コンテンツ再生処理は、ディスクトレイ３０に光ディスク２が装着されている場合に実行される。図６に示すＳ１３〜Ｓ１６、及びＳ１８〜Ｓ２１の処理は、実施の形態１の図５に示すＳ１３〜Ｓ１６、及びＳ１８〜Ｓ２１の処理と同様のものである。
ＣＰＵ１０は、光ディスク２のＲＥ層２１における第３記録領域から、ファイルシステムのデータを読み出す（Ｓ３１）。Ｓ３１におけるＣＰＵ１０及びディスクドライブ３の各部は、本発明の実施の形態における読出手段として機能する。
【０１１０】
次に、ＣＰＵ１０は、読み出したデータが示すファイルシステムを用いて、ＲＯＭ層２２に記録されているコンテンツデータにアクセスできるか否かを判定する（Ｓ３２）。Ｓ３２におけるＣＰＵ１０は、本発明の実施の形態における必須判定手段として機能する。
ＲＯＭ層２２に記録されているコンテンツデータにアクセスできない場合（Ｓ３２でＮＯ）とは、Ｓ３１の処理でＲＥ層２１から読み出せるデータが、必須データではない場合である。この場合、ＣＰＵ１０は、処理をＳ１３へ移す。なお、ＣＰＵ１０は、Ｓ１４の処理は実行しなくてもよい。このとき、光ディスク装置１で、ＲＥ層２１に対する記録データの読み書きがなされてもよい。
【０１１１】
ＲＯＭ層２２に記録されているコンテンツデータにアクセスできる場合（Ｓ３２でＹＥＳ）とは、Ｓ３１の処理で必須データが読み出せた場合である。この場合、ＣＰＵ１０は、処理をＳ１５へ移し、次いで、Ｓ１６の処理を実行する。
Ｓ１６でＹＥＳの場合とは、コンテンツデータの利用、延いてはコンテンツの再生が禁止されているにも拘らず、必須データが変更されていないという不都合が生じている場合である。この場合、ＣＰＵ１０は、ＲＥ層２１に記録されている必須データを変更し（Ｓ３３）、処理をＳ１３へ移す。Ｓ３３におけるＣＰＵ１０及びディスクドライブ３の各部は、本発明の実施の形態における無効化手段として機能する。
【０１１２】
Ｓ１６でＮＯの場合、ＣＰＵ１０は、Ｓ１８以降の処理を実行し、Ｓ２１の処理の終了後、ＲＥ層２１に記録されている必須データを変更してから（Ｓ３４）、処理をＳ１４へ移す。
【０１１３】
以上のような光ディスク装置１は、ＲＥ層２１に記録されている必須データを所定条件下で変更することによって、実施の形態１の光ディスク装置１と同様の効果を奏することができる。
なお、光ディスク装置１は、第１ファイルシステムのデータのみを必須データとして用いる構成に限定されるものではない。即ち、光ディスク装置１は、第１ファイルシステムのデータ、復号鍵のデータ、及び許否情報のデータ等の内、１又は複数を必須データとして用いる構成であればよい。
復号鍵のデータが変更されれば、暗号化されているコンテンツデータの復号が不可能になる。
【０１１４】
回数データ「０」を必須データとして用いる場合、Ｓ１５及びＳ１６におけるＣＰＵ１０は、本発明の実施の形態における読出手段及び必須判定手段として機能する。ただし、Ｓ１６でＮＯと判定される場合が、必須判定手段が必須データであると判定する場合である。そして、Ｓ２１の処理終了後、ＣＰＵ１０は、Ｓ３４の処理を実行せずに、処理をＳ１４へ移す。何故ならば、Ｓ２１の処理が、本発明の実施の形態における無効化手段による無効化処理として機能するからである。
【０１１５】
実施の形態  ３．
本実施の形態の光ディスク装置１及び光ディスク２の構成は、実施の形態１，２の光ディスク装置１及び光ディスク２の構成と略同様である。ただし、本実施の形態では、ＲＥ層２１を破壊することによって、コンテンツデータの利用回数を所定の上限回数までに制限する場合を例示する。
このために、光源４６は、光ディスク２に対する読み書きを行なうための低出力のレーザ光と、ＲＥ層２１を破壊するための高出力のレーザ光とを切り替えて発振するように構成されている。
また、光ディスク２のＲＥ層２１には、例えば光ディスク２の製造時に、必須データが書き込まれる。
その他、実施の形態１，２に対応する部分には同一符号を付してそれらの説明を省略する。
【０１１６】
図７は、本発明の実施の形態３に係る光ディスク装置１で実行されるコンテンツ再生処理の手順を示すフローチャートである。コンテンツ再生処理は、ディスクトレイ３０に光ディスク２が装着されている場合に実行される。図７に示すＳ１１、Ｓ１３、Ｓ１４、及びＳ１８〜Ｓ２０の処理は、実施の形態１の図５に示すＳ１１、Ｓ１３、Ｓ１４、及びＳ１８〜Ｓ２０の処理と同様のものである。
【０１１７】
Ｓ１１で、ＲＥ層２１からの必須データの読み出しを試みたＣＰＵ１０は、次に、必須データが読み出せたか否かを判定する（Ｓ４１）。Ｓ４１におけるＣＰＵ１０は、本発明の実施の形態における必須判定手段として機能する。
必須データが読み出せない場合（Ｓ４１でＮＯ）、即ち、ＲＥ層２１が破壊されていてアクセスできない場合、ＣＰＵ１０は、処理をＳ１３へ移す。
必須データが読み出せた場合（Ｓ４１でＹＥＳ）、ＣＰＵ１０は、処理をＳ１８へ移す。
【０１１８】
そして、Ｓ２０でＹＥＳの場合、ＣＰＵ１０は、光源４６に高出力のレーザ光を発振させることによって、ＲＥ層２１を破壊し（Ｓ４２）、処理をＳ１４へ移す。Ｓ４２におけるＣＰＵ１０及びディスクドライブ３の各部は、本発明の実施の形態における無効化手段として機能する。
【０１１９】
このように、本実施の形態では、図５に示すＳ１５、Ｓ１６、及びＳ２１のような回数データに関する処理は実行されない。何故ならば、ＲＥ層２１は、コンテンツが１回再生されれば破壊されてしまうため、コンテンツデータの利用回数を計数しても無意味だからである。無論、上限回数がＮ回である場合には、図５に示すＳ１５、Ｓ１６、及びＳ２１のような回数データに関する処理も実行され、回数データが示す利用回数がＮ回以上である場合に、Ｓ４２の処理が実行される。
【０１２０】
以上のような光ディスク装置１は、ＲＥ層２１に記録されている必須データを所定条件下で破壊することによって、コンテンツデータの利用回数を上限回数以下に制限することができ、しかも、ＲＥ層２１に必須データを書き戻すことができないため、コンテンツの著作権を更に確実に保護することができる。また、ＲＥ層２１に必須データが記録されている間は、異なる光ディスク装置１，１，…でコンテンツデータを利用することができるため、ユーザの利便性を向上することができる。
【０１２１】
実施の形態１〜３では、ＲＥ層２１に必須データが記録される場合を例示したが、これに限定されるものではない。例えば、光ディスク２が、同一の記録領域に対するデータの書き込みが１回だけ可能な追記型の記録層（いわゆるＲ層）を備えている場合、このＲ層に必須データが記録される構成でもよい。
また、光ディスク装置１及び光ディスク２は、ＢＤプレーヤ及びＢＤに限定されない。光ディスク装置１は、ディスクドライブが備えられているものであれば、ＢＤレコーダ、ポータブルＤＶＤプレーヤ、テレビジョン装置、又はＰＣ等であってもよい。光ディスク２は、第１記録層及び第２記録層を有する複数層式のものであれば、ＣＤ又はＤＶＤ等でもよい。
【０１２２】
更に、光ディスク装置１は、必須データの削除、変更、及びＲＥ層２１の破壊の何れか一つを、所与の条件に応じて選択する構成でもよい。例えば、光ディスク装置１は、通常は必須データの変更によって必須データを無効化するが、ＲＥ層２１又はＲＯＭ層２２に所定の情報が記録してある場合には必須データを削除し、重大な不正を検知した場合にはＲＥ層２１を破壊する。
【０１２３】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、光ディスク装置１又は光ディスク２に、実施の形態１〜３に開示されていない構成要素が含まれていてもよい。
【符号の説明】
【０１２４】
１    光ディスク装置
１０  ＣＰＵ（再生手段，読出手段，必須判定手段，条件判定手段，無効化手段）
１３  再生部（再生手段）
２    光ディスク
２１  ＲＥ層（第１記録層）
２２  ＲＯＭ層（第２記録層）
３    ディスクドライブ（読出手段，無効化手段）
５    ＰＣ（データ記録装置）
６    コンテンツ再生システム
【図１】
2011170907.tif 000003
【図２】
2011170907.tif 000004
【図３】
2011170907.tif 000005
【図４】
2011170907.tif 000006
【図５】
2011170907.tif 000007
【図６】
2011170907.tif 000008
【図７】
2011170907.tif 000009